(57)【要約】【課題】衝撃を受けるに伴って攻撃力が変化するコマ玩具を提供すること。【解決手段】軸部１０と胴部４０とを備え、胴部本体への衝撃によって前記軸部１０に対して前記胴部本体が回転するコマ玩具１であって、前記胴部４０は、前記胴部本体を構成する第１の胴部構成部品と、前記胴部本体に対して回転可能に構成された第２の胴部構成部品と、を備え、前記第１の胴部構成部品又は前記第２の胴部構成部品の外周には、それぞれ、半径方向外方に張り出す第１の張出し部４１ｂ又は第２の張出し部４２ｂが部分的に形成され、前記第２の張出し部４２ｂは、前記軸部１０に対して前記胴部本体が回転する毎に、前記第１の張出し部４１ｂに対する相対位置が段階的に変化する。【選択図】図９
2018198841.tif 000002
【特許請求の範囲】
【請求項１】
軸部と胴部とを備え、胴部本体への衝撃によって前記軸部に対して前記胴部本体が回転するコマ玩具であって、
前記胴部は、前記胴部本体を構成する第１の胴部構成部品と、前記胴部本体に対して回転可能に構成された第２の胴部構成部品と、を備え、
前記第１の胴部構成部品の外周には、半径方向外方に張り出す第１の張出し部が部分的に形成され、
前記第２の胴部構成部品の外周には、半径方向外方に張り出す第２の張出し部が部分的に形成され、
前記第２の張出し部は、前記軸部に対して前記胴部本体が回転する毎に、前記第１の張出し部に対する相対位置が段階的に変化するように構成されていることを特徴とするコマ玩具。
【請求項２】
前記第２の胴部構成部品は、前記第１の胴部構成部品に上下方向で重畳され前記軸部と一体的に回転することを特徴とする請求項１に記載のコマ玩具。
【請求項３】
前記第２の胴部構成部品は、前記軸部と一体的に回転するフライホイールを介して前記軸部に係合することを特徴とする請求項２に記載のコマ玩具。
【請求項４】
前記軸部と前記胴部とは、突き合わせ状態で前記軸部に対して前記胴部本体を一方向に回転させた際に結合され、結合状態から他方向に回転させた際に結合解除されることを特徴とする請求項１から請求項３のいずれか一項に記載のコマ玩具。
【請求項５】
前記第２の張出し部は、前記軸部に対して前記胴部本体が前記他方向に回転した際に前記第１の張出し部から突出することを特徴とする請求項４に記載のコマ玩具。
【発明の詳細な説明】
【技術分野】
【０００１】
本発明はコマ玩具に関するものである。
【背景技術】
【０００２】
コマ玩具を使用したバトルゲームとして、コマ玩具を互いに衝突させ、その衝撃力によって相手方のコマ玩具の回転を止めたり、相手方のコマ玩具を弾き飛ばしたり、相手方のコマ玩具を分解させたりするものがある。
【０００３】
このようなコマ玩具では、攻撃力や防御力を変更させるための工夫がされている。例えば、攻撃力や防御力を変更できる形状の張出し部を有するアタッチメントを玩具本体に取り付けたりしている（例えば、特許文献１）。
【先行技術文献】
【特許文献】
【０００４】
【特許文献１】実用新案登録第３０８３４４３号公報
【発明の概要】
【発明が解決しようとする課題】
【０００５】
ところが、特許文献１に開示されたアタッチメントの場合、当該アタッチメントを裏返して玩具本体に取り付けることによって、表と裏とで攻撃力や防御力を変化させるようにしている。しかしながら、このコマ玩具においては、攻撃力や防御力を変化させる場合に、アタッチメントを一旦玩具本体から取り外し、アタッチメントの表裏を逆にして再度玩具本体に取り付ける必要がある。
【０００６】
本発明は、かかる点に鑑みなされたもので、衝撃を受けるに伴って攻撃力が変化するコマ玩具を提供することを目的とする。
【課題を解決するための手段】
【０００７】
第１の手段は、
軸部と胴部とを備え、胴部本体への衝撃によって前記軸部に対して前記胴部本体が回転するコマ玩具であって、
前記胴部は、前記胴部本体を構成する第１の胴部構成部品と、前記胴部本体に対して回転可能に構成された第２の胴部構成部品と、を備え、
前記第１の胴部構成部品の外周には、半径方向外方に張り出す第１の張出し部が部分的に形成され、
前記第２の胴部構成部品の外周には、半径方向外方に張り出す第２の張出し部が部分的に形成され、
前記第２の張出し部は、前記軸部に対して前記胴部本体が回転する毎に、前記第１の張出し部に対する相対位置が段階的に変化するように構成されていることを特徴とする。
【０００８】
第２の手段は、第１の手段であって、前記第２の胴部構成部品は、前記第１の胴部構成部品に上下方向で重畳され前記軸部と一体的に回転することを特徴とする。
【０００９】
第３の手段は、第２の手段であって、前記第２の胴部構成部品は、前記軸部と一体的に回転するフライホイールを介して前記軸部に係合することを特徴とする。
【００１０】
第４の手段は、第１の手段から第３の手段のいずれか一の手段であって、前記軸部と前記胴部とは、突き合わせ状態で前記軸部に対して前記胴部本体を一方向に回転させた際に結合され、結合状態から他方向に回転させた際に結合解除されることを特徴とする。
【００１１】
第５の手段は、第４の手段であって、前記第２の張出し部は、前記軸部に対して前記胴部本体が前記他方向に回転した際に前記第１の張出し部から突出することを特徴とする。
【発明の効果】
【００１２】
第１の手段によれば、軸部に対する胴部本体の回転毎に、第２の張出し部が第１の張出し部に対する相対位置を変化するので、それに応じて攻撃力や防御力が変化する。この場合、相手方のコマ玩具の衝突によって軸部に対して胴部本体が段階的に回転するので、その都度、コマ玩具が回転位置に応じた攻撃力や防御力を維持しながらバトルゲームが行われるので、変化に富んだバトルゲームを楽しむことができる。
例えば、第２の張出し部が第１の張出し部に対して出没するものである場合、第２の張出し部が第１の張出し部から突出していない状態では、胴部の外形には大きな凹部が存在しているが、第２の張出し部が第１の張出し部に対して突出すると、胴部の外形の凹部の少なくとも一部が第２の張出し部で埋まり胴部の外形が円に近づくので、相手方のコマ玩具の攻撃をいなすことができることから防御力が強くなる一方で攻撃力が弱まり、反対に、第２の張出し部が第１の張出し部に対して没すると、胴部の外形には大きな凹部が出来ることから、胴部の第１の張出し部の角部が相手方のコマ玩具と衝突し易くなり攻撃力が強くなる一方で防御力が弱まる。なお、その他の場合でも、胴部の外形の凹凸の状態が変化するので、攻撃力や防御力が変化することになる。
【００１３】
第２の手段によれば、第２の胴部構成部品が軸部と一体的に回転させるだけなので、第２の胴部構成部品と軸部とを簡単な構造にて係合させることができる。
【００１４】
第３の手段によれば、第２の胴部構成部品がフライホイールを介して軸部に係合しているので、第２の張出し部の動作性がよくなる。
【００１５】
第４の手段によれば、軸部と胴部との結合解除に向けて攻撃力や防御力が変化するので、自分や相手方に一発逆転の機会が付与され、スリル感を持ってバトルゲームを楽しむことができる。
【００１６】
第５の手段によれば、軸部と胴部との結合解除に向かう際に第２の出し部が突出して胴部の外形が円形に近づくので、防御力が強くなる一方で攻撃力が弱まる反面、コマ玩具の回転の安定性が向上する。
【図面の簡単な説明】
【００１７】
【図１】実施形態に係るコマ玩具とランチャ（コマ発射装置）とを示した斜視図である。
【図２】本実施形態のコマ玩具の遊び方を説明するための斜視図である。
【図３】本実施形態のコマ玩具の一部を示した半断面斜視図である。
【図４】本実施形態のコマ玩具の胴部を示した図であり、（Ａ）は第２の張出し部が没した状態を示した平面図、（Ｂ）は第２の張出し部が突出した状態を示した平面図である。
【図５】本実施形態のコマ玩具の胴部を下方から見た状態を示した斜視図である。
【図６】本実施形態のコマ玩具の胴部を上方から見た状態を示した分解斜視図である。
【図７】本実施形態のコマ玩具の胴部を下方から見た状態を示した分解斜視図である。
【図８】本実施形態のコマ玩具の中板を示した平面図である。
【図９】本実施形態のコマ玩具の動作を説明するための図であり、（Ａ）は第２の張出し部が没した状態を示した下面図、（Ｂ）は第２の張出し部が突出した状態を示した下平面図である。
【発明を実施するための形態】
【００１８】
以下、本発明のコマ玩具を図面に示した実施形態に基づいて説明する。
【００１９】
（全体構成）
図１は、本実施形態のコマ玩具１及びコマ発射玩具６０を備えた玩具セットを示している。
このうちコマ玩具１は、いわゆるバトルゲームに使用することが可能なコマ玩具である。このコマ玩具１は、例えば、互いの衝突による衝撃力で相手方のコマ玩具１を図２に示すように分解させて遊ぶようなバトルゲームに使用される。
このコマ玩具１は、図２に示すように、軸部１０、フライホイール３０及び胴部４０によって構成されている。
【００２０】
（細部）
１．軸部１０
図３は軸部１０及びフライホイール３０を半断面にして示している。軸部１０及びフライホイール３０において上下、左右、前後は特に断らない限り図３に示す方向を言うものとする。この軸部１０及びフライホイール３０は略左右対称となっている。
このうち軸部１０は、下端部に接地部である回転軸１１、上下方向中間部に鍔１２、上端部に円筒体１３を備えている。
鍔１２と円筒体１３とは一体に形成されている。円筒体１３の軸心には柱体１４が設けられている。この柱体１４の上端部は大径となっており、その大径部分の外周には前後それぞれに半径方向外方に張り出す爪１７が１個ずつ形成されている。この柱体１４は、軸下部１０ａに固定して設けられている。軸下部１０ａの外周面は、鍔１２側から回転軸１１の先端側に向けて段階的に縮径し、全体として略逆円錐状に形成されている。この軸下部１０ａは、図示しないねじ等によって鍔１２に固定されている。
鍔１２及び円筒体１３には、前後それぞれに孔１５が１個ずつ鍔１２及び円筒体１３に亘って形成されている。また、円筒体１３の外周面には、左右それぞれに突出部１６が１個ずつ形成されている。各突出部１６の外面は鍔１２の外周面と面一となっている。
【００２１】
また、軸部１０は円筒状の押圧部材１８を備えている。押圧部材１８は、柱体１４の上端部の外側に嵌まり合う環状の天板を有するとともに、内部は中空で下方に開口している。この押圧部材１８は、円筒体１３の内側で柱体１４を取り囲むようにして設置されている。押圧部材１８の下端部外周には、前後それぞれに半径方向外方に張り出す脚部１８ａが１個ずつ形成されている。
【００２２】
この押圧部材１８は、図３に示すように、各脚部１８ａが１つの孔１５から露出するように組み付けられる。この孔１５は脚部１８ａの上下方向の移動を許容するが、孔１５の上縁で上方への移動を規制する。また、押圧部材１８は、スプリング１９によって上方に付勢され、常態では、押圧部材１８の上端面は円筒体１３の上端と略同一高さ位置となる。
なお、押圧部材１８の上面には、左右それぞれに半径方向に延びる凸条（突起）２０が１個ずつ形成されている。
【００２３】
２．フライホイール３０
フライホイール３０は環状に形成されている。フライホイール３０の底面内周側には軸部１０の鍔１２を下方から収容可能な環状段部３０ａが形成されている。このフライホイール３０の上面には左右それぞれに上方に向けて張り出す突出部３１が１個ずつ形成されている。各突出部３１の下側部分には、軸部１０の突出部１６を下方から収容可能な凹部３２が形成されている。また、フライホイール３０の上面には、各突出部３１の直ぐ外側に上方に延びる舌片３３が形成されている。舌片３３は突出部３１よりも上方に突出している。
【００２４】
３．胴部４０
図４（Ａ），（Ｂ）は胴部４０の平面図、図５は胴部４０を下方から見た状態を示した斜視図、図６は胴部４０を上方から見た状態を示した分解斜視図、図７は胴部４０を下方から見た状態を示した分解斜視図である。この胴部４０は、図６及び図７に示すように、上板４１、中板４２及び下板４３を備えている。このうち上板４１及び下板４３は第１の胴部構成部品であり胴部本体を構成する。なお、胴部４０において上下、左右、前後は特に断らない限り図６に示す方向を言うものとする。
【００２５】
（１）上板４１
上板４１の中央には略円形の孔４１ａが形成されている。また、上板４１の外周には、半径方向外方に張り出す同じ形の張出し部４１ｂが円周方向に等間隔に６個形成されている。すなわち、上板４１の外周には、張出し部４１ｂを凸部とし、張出し部４１ｂが存在しない部分を凹部とする凹凸部の組が円周方向に等間隔に６個形成されている。なお、張出し部４１ｂは同じ形に限定されず、また、等間隔に形成されなくてもよく、個数も６個に限定されない。
また、上板４１には、左右それぞれにフライホイール３０の各舌片３３を下方から挿入可能な孤状スリット４１ｃが１個ずつ形成されている。この各孤状スリット４１ｃの幅は、円周方向の一端側が広く、他端側が狭くなっている。
さらに、上板４１の孔４１ａの内壁には、軸心を挟んで対峙する２箇所それぞれに半径方向内方に向けて突出する突起４１ｄが１個ずつ形成されている。
また、上板４１の下側には、軸心を挟んで対峙する２箇所それぞれに円柱状のボス４１ｅが１個ずつ形成されている。各ボス４１ｅの中央の孔の内壁には雌ねじが形成されている。なお、ボス４１の配設位置や個数はこれに限定されない。
【００２６】
（２）中板４２
図８は中板４２の平面図である。同図に示すように、中板４２は第２の胴部構成部品を構成し、ここでは環状に形成されている。この中板４２の内側壁には、軸心を挟んで対峙する２箇所それぞれに中板４２の中心に向けて突出する突起４２ａが２個ずつ形成されている。２つの突起４２ａ，４２ａの間の距離はその間に上記舌片３３が挿入できる大きさに設定されている。これにより、軸部１０と胴部４０とを組み付けた際に、２つの突起４２ａ，４２ａにより舌片３３が挟持され、上板４１及び下板４３に対して軸部１０ひいてはフライホイール３０が相対回転した際に、中板４２が舌片３３に連れて上板４１及び下板４３に対して相対回転する。
また、中板４２の外周には、半径方向外方に張り出す張出し部４２ｂが円周方向に等間隔に６個形成されている。すなわち、上板４２の外周には、張出し部４２ｂを凸部とし、張出し部４２ｂが存在しない部分を凹部とする凹凸部の組が円周方向に等間隔に６個形成されている。なお、張出し部４２ｂは等間隔に形成されなくてもよく、個数も６個に限定されない。この張出し部４２ｂにおけるコマ玩具１の回転方向前側の角部の角度は鈍角となっている。一方、張出し部４２ｂにおけるコマ玩具１の回転方向後側の角部の角度は鋭角となっている。そして、張出し部４２ｂは、平面視で、張出し部４１ｂに覆い隠される大きさとなっている。この張出し部４２ｂは、上板４１及び下板４３と中板４２とが相対回転したときに、張出し部４１ｂに対して出没する。そして、張出し部４２ｂが張出し部４１ｂから突出したとき、上板４１の隣り合う張出し部４１ｂ，４１ｂの間に形成される凹部の少なくとも一部が張出し部４２ｂで埋まる。その結果、胴部４０の外形は円に近づく。
なお、張出し部４２ｂは張出し部４１ｂよりも半径方向外側にはみ出さないことが好ましい。張出し部４２ｂが張出し部４１ｂよりも半径方向外側にはみ出すとすれば、相手方のコマ玩具に張出し部４２ｂが当たり易く、相手方のコマ玩具が同方向に回転するものである場合、軸部１０に対して胴部本体が結合解除方向ではなく結合方向に回転してしまうからである。
【００２７】
（３）下板４３
下板４３は環状の枠体４３ａを有している。この枠体４３ａの内側には当該枠体４３ａを支持する連結部４３ｂが設けられている。連結部４３ｂの中央には上記孔４１ａと同じ大きさの径を有する孔４３ｃが形成されている。また、連結部４３ｂの前後それぞれに挿通孔４３ｇが１個ずつ設けられている。各挿通孔４３ｇには上記ボス４１ｅが挿入される。そして、上板４１と下板４３とで中板４２を挟み込み、挿通孔４３ｇに下方から通した雄ねじ（図示せず）をボス４１ｅの雌ねじに螺合させることによって胴部４が形成される。
一方、下板４３の下側には、上記孔４３ｃの径と同じ大きさの内径を有する環状壁４３ｇが形成されている。環状壁４３ｄの下端部内面には軸心を挟んで対峙する２箇所のそれぞれに爪４３ｅが１個ずつ半径方向内方に張り出して形成されている。さらに、各爪４３ｅの下面の一端部には、軸部１０の上記凸条２０に噛合する起伏部４３ｆが形成されている。ここで、起伏部４３ｆは凹条を複数円周方向に連ねて形成されている。
【００２８】
（４）飾り部品４７
上板４１の孔４１ａには飾り部品４７が取り付けられている。飾り部品４７は略円筒状形成され、外周部に上記突起４１ｄに係合する溝４７ａが形成されている。そして、飾り部品４７は孔４１ａに嵌め込み、所定方向に回転させることで突起４１ｄと溝４７ａとが係合し、飾り部品４７が上板４１に取り付けられる。この飾り部品４７は、自他のコマ玩具１を識別するためのもので、互いに上面の色や形状が異なるものが複数用意されている。
【００２９】
４．コマ玩具１の組立方法
次に、コマ玩具１の組立方法を説明する。なお、ここでは、軸部１０と胴部４０それぞれの組立は、図２に示したように、既に終了しているものとする。
まず、軸部１０の突出部１６を下方からフライホイール３０の凹部３２に合致させるようにして、軸部１０とフライホイール３０を嵌合状態に組み付ける。次に、この組付け体を胴部４０に下方から近付ける。その際、予め、中板４２を上板４１及び下板４３に対して所定位置まで回転させておく。
そして、中板４２の２つの突起４２ａ，４２ａの間にフライホイール３０の舌片３３を挿入するようにして、フライホイール３０の舌片３３を胴部４０の弧状スリット４１ｃに挿入する。この状態は、軸部１０の爪１７と胴部４０の爪４３ｅとが上下方向で重なっていない状態である。この状態が結合解除状態である。その後、上記組付け体の軸部１０を胴部４０側に押圧する。すると、まず、フライホイール３０が胴部４０の下面に押し当てられる。さらに、軸部１０内のスプリング１９が縮み押圧部材１８が下がり、軸部１０の爪１７が胴部４０の爪４３ｅよりも上方に相対的に押し上げられる。そして、軸部１０をフライホイール３０と一体的に上板４１及び下板４３に対して所定方向（コマ玩具１の回転方向とは反対の方向）に回転させる。すると、胴部４０の爪４３ｅが軸部１０の爪１７の下側に潜り込み、爪１７と爪４３ｅとが上下で重なった状態となる。そして、軸部１０から手を離すと、軸部１０内のスプリング１９の付勢力によって、軸部１０の爪１７の下面と胴部４０の爪４３ｅの上面とが当接される。この状態、すなわち軸部１０の爪１７の下面と胴部４０の爪４３ｅの上面とが当接された状態が結合状態である。これにより、凸条２０と起伏部４３ｆが噛合して、コマ玩具１が組み立てられる。また、この状態では、平面視で、張出し部４２ｂが張出し部４１ｂに覆い隠され、胴部４０の外形には大きな凹部が出来る。これにより、上板４１の張出し部４１ｂの角部が相手方のコマ玩具と衝突し易くなり攻撃力が強く、防御力が弱まる状態となる。
【００３０】
５．遊び方等
続いて、このコマ玩具１を使用しての遊び方の一例を説明する。
図１は、コマ玩具１を回転駆動させるランチャーの一例を示した斜視図である。
この遊び方の一例では、コマ玩具１を回転させて、相手方のコマ玩具１とバトルを行う。
この場合、コマ玩具１の回転力のチャージは、図１に示すランチャー（発射装置）６０によって行われる。このランチャー６０は、内部に図示しない円板を備え、その円板を図示しないゼンマイばねで一の回転方向に付勢するとともに、円板の周囲に卷回させた図示しない紐をハンドル６１で引くと、円板が回転され、コマホルダー６２が回転されるように構成されている。このコマホルダー６２の回転は、下方に突設されたフォーク６３によってコマ玩具１に伝達され、コマ玩具１を回転させる。この場合、フォーク６３は胴部４０の弧状スリット４１ｃに差し込まれる。そして、ランチャー６０のハンドル６１を引き切ると、円板ひいてはコマホルダー６２の回転が停止する一方で、コマ玩具１は慣性力によって尚も回転するので、フォーク６３の傾斜面６３ａに倣ってコマ玩具１がコマホルダー６２から外れる。
【００３１】
このようにして発射されたコマ玩具１は所定のフィールドで所定方向に回転させられ、例えば同方向に回転する相手方のコマ玩具１に衝突すると、衝突による衝撃力によって、上板４１及び下板４３には、軸部１０及びフライホイール３０の回転方向とは反対の方向の力が作用し、それによって、上板４１及び下板４３が軸部１０及びフライホイール３０の回転方向に対して反対の方向に相対的に回転する。
すると、下板４３下面の起伏部４３ｆと凸条２０とは、胴部４０に対して軸部１０が相対回転するに伴って、噛み合い位置を段階的に変更する。一方、中板４２はフライホイール３０ひいては軸部１０と一体に回転するので、中板４２の張出し部４２ｂが上板４１の凹部内に露出する。この状態では、相手方のコマ玩具の攻撃をいなすことができることから防御力が強くなる一方で攻撃力が弱まる。
【００３２】
（他の実施形態）
上記実施形態では、張出し部４１ｂから張出し部４２ｂが最大に突出した状態では、張出し部４２ｂの基端部が尚も張出し部４１ｂに重畳された形となっていたが、張出し部４１ｂから張出し部４２ｂが最大に突出した状態では張出し部４２ｂが張出し部４１ｂから完全に突出し、隣り合う張出し部４１ｂの間に形成される隙間（凹部）内に張出し部４２ｂが完全に収まり、コマ玩具１の回転方向前側の張出し部４１ｂと張出し部４２ｂとの間と、コマ玩具１の回転方向後側の張出し部４１ｂと当該張出し部４２ｂとの間の双方に隙間が形成されるように構成されていてもよい。この場合には、張出し部４２ｂの突出によって張出し部の数（刃数）が倍に増えることとなる。この場合、初期においては、張出し部４２ｂとコマ玩具１の回転方向後側の張出し部４１ｂとが重なり合っていてもよいし、それらの間に隙間がなくてもよい。
このように構成されたコマ玩具１によれば、コマ玩具１の回転方向前側の張出し部４１ｂと張出し部４２ｂとの間と、コマ玩具１の回転方向後側の張出し部４１ｂと当該張出し部４２ｂとの間に隙間が分割されるので、各隙間が小さくなり、防御力が増すことになる。
なお、張出し部４１ｂから張出し部４２ｂが最大に突出した状態では、コマ玩具１の回転方向前側の張出し部４１ｂと張出し部４２ｂとの間と、コマ玩具１の回転方向後側の張出し部４１ｂと当該張出し部４２ｂとの間のいずれか一方に隙間が形成されるようになっていてもよいし、張出し部４１ｂから張出し部４２ｂが最大に突出した状態では、コマ玩具１の回転方向前側の張出し部４１ｂと、コマ玩具１の回転方向後側の張出し部４１ｂとの隙間が張出し部４２ｂによって完全に埋まるようにしてもよい。
【００３３】
（発明の変形例）
以上、本発明の実施形態について説明したが、本発明は、かかる実施形態に限定されるものではなく、その要旨を逸脱しない範囲で、種々変形が可能であることは言うまでもない。
例えば、上記実施形態では、胴部４０と軸部１０とが一方向の回転によって結合し、他方向の回転によって結合解除されるコマ玩具１を説明したが、単に、胴部４０と軸部１０とが軸線を中心に相対回転するだけで胴部４０と軸部１０とが結合解除されないコマ玩具１にも適用できる。
【００３４】
また、上記実施形態では、軸部１０と胴部４０とが結合位置から結合解除位置に向かうに連れて張出し部４２ｂが突出するようにしたが、反対に、軸部１０と胴部４０とが結合位置から結合解除位置に向かうに連れて張出し部４２ｂが張出し部４１ｂに没するようにしてもよい。
【００３５】
さらに、上記実施形態では、胴部本体（第１の胴部構成部品）を上板４１及び下板４３とで構成したが、上板４１又は下板４３の一方で構成してもよい。
【００３６】
また、上記実施形態では、胴体本体に形成された張出し部４１ｂの下に張出し部４２ｂを設けたが、その逆であってもよい。
【符号の説明】
【００３７】
１     コマ玩具
１０   軸部
４１    上板（第１の胴部構成部品の一部）
４１ｂ    張出し部（第１の張出し部）
４１ｃ 孤状スリット
４２    中板（第２の胴部構成部品）
４２ｂ 張出し部（第２の張出し部）
４３    下板（第１の胴部構成部品の一部）
【図１】
2018198841.tif 000003
【図２】
2018198841.tif 000004
【図３】
2018198841.tif 000005
【図４】
2018198841.tif 000006
【図５】
2018198841.tif 000007
【図６】
2018198841.tif 000008
【図７】
2018198841.tif 000009
【図８】
2018198841.tif 000010
【図９】
2018198841.tif 000011
【手続補正書】
【提出日】平成30年4月11日(2018.4.11)
【手続補正１】
【補正対象書類名】明細書
【補正対象項目名】０００７
【補正方法】変更
【補正の内容】
【０００７】
第１の手段は、
軸部と胴部とを備え、胴部本体への衝撃によって前記軸部に対して前記胴部本体が回転するコマ玩具であって、
前記胴部は、前記胴部本体を構成する第１の胴部構成部品と、前記胴部本体に対して回転可能に構成された第２の胴部構成部品と、を備え、
前記第１の胴部構成部品の外周には、半径方向外方に張り出す第１の張出し部が部分的に形成され、
前記第２の胴部構成部品の外周には、半径方向外方に張り出す第２の張出し部が部分的に形成され、
前記第２の張出し部は、前記軸部に対して前記胴部本体が回転する毎に、前記第１の張出し部に対する相対位置が段階的に変化するように構成されており、
前記第２の張出し部は、前記第１の胴部構成部品と前記第２の胴部構成部品とが相対回転した際に前記第１の張出し部が形成されていない部分に突出することを特徴とする。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】変更
【補正の内容】
【００１２】
第１の手段によれば、軸部に対する胴部本体の回転毎に、第２の張出し部が第１の張出し部に対する相対位置を変化するので、それに応じて攻撃力や防御力が変化する。この場合、相手方のコマ玩具の衝突によって軸部に対して胴部本体が段階的に回転するので、その都度、コマ玩具が回転位置に応じた攻撃力や防御力を維持しながらバトルゲームが行われるので、変化に富んだバトルゲームを楽しむことができる。
例えば、第２の張出し部が第１の張出し部に対して出没するものである場合、第２の張出し部が第１の張出し部から突出していない状態では、胴部の外形には大きな凹部が存在している。第１の胴部構成部品と第２の胴部構成部品とが相対回転した際に第２の張出し部が第１の張出し部に対して突出したときには、胴部の外形の凹部の少なくとも一部が第２の張出し部で埋まる。これにより胴部の外形が円に近づくので、攻撃力は弱まるが、相手方のコマ玩具の攻撃をいなすことができることから防御力が強くなる。またこの状態ではコマ玩具の回転の安定性も向上する。反対に、第２の張出し部が第１の張出し部に対して没すると、胴部の外形には大きな凹部が出来ることから、胴部の第１の張出し部の角部が相手方のコマ玩具と衝突し易くなり攻撃力が強くなる一方で防御力が弱まる。なお、その他の場合でも、胴部の外形の凹凸の状態が変化するので、攻撃力や防御力が変化することになる。
【手続補正４】
【補正対象書類名】明細書
【補正対象項目名】００１６
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
軸部と胴部とを備え、胴部本体への衝撃によって前記軸部に対して前記胴部本体が回転するコマ玩具であって、
前記胴部は、前記胴部本体を構成する第１の胴部構成部品と、前記胴部本体に対して回転可能に構成された第２の胴部構成部品と、を備え、
前記第１の胴部構成部品の外周には、半径方向外方に張り出す第１の張出し部が部分的に形成され、
前記第２の胴部構成部品の外周には、半径方向外方に張り出す第２の張出し部が部分的に形成され、
前記第２の張出し部は、前記軸部に対して前記胴部本体が回転する毎に、前記第１の張出し部に対する相対位置が段階的に変化するように構成されており、
前記第２の張出し部は、前記第１の胴部構成部品と前記第２の胴部構成部品とが相対回転した際に前記第１の張出し部が形成されていない部分に突出することを特徴とするコマ玩具。
【請求項２】
前記第２の胴部構成部品は、前記第１の胴部構成部品に上下方向で重畳され前記軸部と一体的に回転することを特徴とする請求項１に記載のコマ玩具。
【請求項３】
前記第２の胴部構成部品は、前記軸部と一体的に回転するフライホイールを介して前記軸部に係合することを特徴とする請求項２に記載のコマ玩具。
【請求項４】
前記軸部と前記胴部とは、突き合わせ状態で前記軸部に対して前記胴部本体を一方向に回転させた際に結合され、結合状態から他方向に回転させた際に結合解除されることを特徴とする請求項１から請求項３のいずれか一項に記載のコマ玩具。